(57)【要約】【課題】  水道水を風呂水給水用ポンプ内に通水した後、風呂水給水用ポンプを逆転させ、風呂水給水用ポンプ内や風呂水給水用ホース内を清潔に保つ洗濯機を提供する。【解決手段】  洗濯槽と、水道水を給水するための主給水弁と、風呂水を給水するための補助給水弁と、前記洗濯槽に通水するための通水弁と、風呂水を吸い上げるための風呂水給水用ポンプと、風呂水給水用ポンプの吸入口に接続する風呂水給水用ホースとを備えた洗濯機において、前記主給水弁からの通水経路と前記補助給水弁からの通水経路が結合した構造の通水経路を備え、前記複数の通水弁と前記風呂水給水用ポンプを逆転することで、前記風呂水給水用ホース内を洗浄可能とすることを特徴とする。【選択図】  図２
2017202073.tif 000002
【特許請求の範囲】
【請求項１】
洗濯槽と、水道水を給水するための主給水弁と、風呂水を給水するための補助給水弁と、前記洗濯槽に通水するための通水弁と、風呂水を吸い上げるための風呂水給水用ポンプと、風呂水給水用ポンプの吸入口に接続する風呂水給水用ホースとを備えた洗濯機において、
前記主給水弁からの通水経路と前記補助給水弁からの通水経路が結合した構造の通水経路を備え、前記複数の通水弁と前記風呂水給水用ポンプを逆転することで、前記風呂水給水用ホース内を洗浄可能とすることを特徴とする洗濯機。
【発明の詳細な説明】
【技術分野】
【０００１】
本発明は洗濯機の制御に関する。
【背景技術】
【０００２】
環境意識への高まりから、風呂水を洗濯に利用することが増加している。風呂水を洗濯機に供給する場合は、通常、ポンプが用いられる。多くの全自動洗濯機は、この風呂水給水用ポンプを内蔵しており、風呂水給水用ポンプの吸入口に接続したホース（以下、風呂水給水用ホース）の先端を風呂水の中に浸漬し、複数の洗濯コースのうちから、風呂水を使用するコースを選択すると、洗剤洗いの溜めの給水時、およびすすぎ洗いの溜めの給水時に風呂水給水用ポンプが給水動作を行って、風呂水を洗濯槽内に供給するようになっている。
【先行技術文献】
【特許文献】
【０００３】
【特許文献１】特開２００７−２０２７３９号公報
【特許文献２】特開２００３−０１０５８８号公報
【発明の概要】
【発明が解決しようとする課題】
【０００４】
風呂水は、水道水などの上水に消毒のために添加されている残留塩素が失われており、人体由来の汗や皮脂などの有機物を含み、また、温度も菌の繁殖に適した３０〜４０℃であるため、風呂水給水用ポンプ内や風呂水給水用ホース内に風呂水を通水したまま放置しておくと、風呂水給水用ポンプ内や風呂水給水用ホース内にヌメリやノロが発生する原因となる。このことにより、風呂水給水用ポンプ内や風呂水給水用ホース内の水の流れが悪くなり、最終的に風呂水給水用ポンプ内や風呂水給水用ホース内が詰まって、風呂水吸水性能が低下する。
【０００５】
特許文献１では、水道水と風呂水の通水経路を同一にした給水ユニットの構造を開示しているが、水道水を風呂水給水用ポンプ内に通水した後、風呂水給水用ポンプの詰まりを低減する適切な制御に関しては、開示していない。
【０００６】
特許文献２では、洗濯槽内で作った洗浄液に風呂水給水用ホースをつけおき、つけおき中に洗濯槽を回転させることで風呂水給水用ホース内を洗浄する方法を開示しているが、風呂水給水用のホース内に洗浄液が行き渡らない可能性があり、洗浄液を作ってつけおきする手間もかかる。
【０００７】
本発明は、このような事情に鑑みてなされたものであり、風呂水の汚れによる風呂水給水用ポンプ内や風呂水給水用ホース内の詰まりを低減するための適切な制御を行う洗濯機を提供することを目的とする。
【課題を解決するための手段】
【０００８】
前記目的を達成するため、本発明に係る洗濯機は、洗濯槽と、水道水を給水するための主給水弁と、風呂水を給水するための補助給水弁と、前記洗濯槽に通水するための通水弁と、風呂水を吸い上げるための風呂水給水用ポンプと、風呂水給水用ポンプの吸入口に接続する風呂水給水用ホースとを備えた洗濯機において、前記主給水弁からの通水経路と前記補助給水弁からの通水経路が結合した構造の通水経路を備え、前記複数の通水弁と前記風呂水給水用ポンプを逆転することで、前記風呂水給水用ホース内を洗浄可能とすることを特徴とする。
【発明の効果】
【０００９】
本発明によれば、風呂水給水用ポンプ内へ水道水を通水した後、風呂水給水用ポンプを逆転し、水道水を勢いよく風呂水給水用ホース内に通水することで、通常の風呂水給水用ポンプの動作では取りきれない風呂水給水用ポンプ内や風呂水給水用ホース内のヌメリやノロの発生原因となる有機物を取ることができるため、風呂水給水用ポンプ内や風呂水給水用ホース内の詰まりを低減し、風呂水吸水性能が低下することなく、洗濯時に風呂水を利用することができる。
【図面の簡単な説明】
【００１０】
【図１】本発明の一実施例における制御内容を示すフローチャートである。
【図２】本発明の一実施例における風呂水給水用ポンプの逆転運転の内容を示すフローチャートである。
【図３】本発明の一実施例の形態を示す操作パネル図である。
【図４】本発明の一実施例の形態を示すブロック図である。
【図５】本発明の一実施例の形態を示す洗濯機の外観斜視図である。
【図６】本発明の一実施例の形態を示す洗濯機の背面カバーを外して内部構造を示す背面図である。
【図７】本発明の一実施例の形態を示す洗濯機の水の流路の説明模式図である。
【図８】本発明の一実施例の形態を示す風呂水給水用ポンプの外観斜視図である。
【発明を実施するための形態】
【００１１】
以下、本発明の一実施例を図面に基づいて説明する。図１は本発明の一実施例における制御内容を示すフローチャート、図２は本発明の一実施例における風呂水給水用ポンプの逆転運転の内容を示すフローチャート、図３は本発明の一実施例の形態を示す操作パネル図、図４は本発明の一実施例の形態を示すブロック図、図５は本発明の一実施例の形態を示す洗濯機の外観斜視図、図６は本発明の一実施例の形態を示す洗濯機の背面カバーを外して内部構造を示す背面図、図７は本発明の一実施例の形態を示す洗濯機の水の流路の説明模式図、図８は本発明の一実施例の形態を示す風呂水給水用ポンプの外観斜視図である。
【００１２】
図４と図５と図６に示す本実施例の洗濯機は、不揮発性記憶手段１４を備えたマイクロコンピュータ１３と駆動回路１９と通水弁７,風呂水給水用ポンプ９，主給水弁２４，補助給水弁２５などの出力装置６〜１０,２１,２２，２４，２５と入力装置１５〜１８,２０,２３と電源４とリレー５により構成される。また、風呂水給水用ホース２６は風呂水給水用ポンプ９の吸入口に接続できる構造となっている。操作パネル１の電源「入」スイッチ１２１が押されると、コンセントから供給される電源が整流回路により変圧、整流され、マイクロコンピュータ１３が通電しリレー５が入る。マイクロコンピュータ１３には、蓋ロック検知１５、水位センサ１６、振動センサ１７、回転センサ１８、操作スイッチ２０、モータ電流センサ２３等からの入力信号が与えられ、予め定められたプログラムに従い、モータ６，通水弁７、排水弁８、風呂水給水用ポンプ９、循環ポンプ１０、主給水弁２４、補助給水弁２５等を制御する。駆動回路１９はマイクロコンピュータ１３からの指示に従って導通状態を制御して従属する負荷への給電制御を行い、洗い、すすぎ、脱水の各行程を実行する。洗濯が終了すると、マイクロコンピュータ１３からの信号でリレー５を切り、電源の供給を遮断する。
【００１３】
図３に示す操作パネルは、洗い時間、すすぎ回数、脱水時間、乾燥時間を設定するキー１０７〜１１０と、洗濯コース、洗乾コース、乾燥コースを設定するキー１０３〜１０５と、スタート・一時停止キー１０６と、洗い時間、すすぎ回数、脱水時間、乾燥時間を表示する７セグメントＬＥＤ１１１〜１１４と、行程の残時間を表示する７セグメントＬＥＤ１１５と、コースを表示するＬＥＤ１１６から構成される。
【００１４】
実施例の洗濯機において、運転コースは最大１２コース（１１６）、洗い時間は０〜９９分（１１１）、すすぎ回数は０〜９回（１１２）、脱水時間は０〜９分（１１３）、乾燥時間は０〜９９分（１１４）である。
【００１５】
実施例の一連動作を図１のフローチャートに示す。
【００１６】
まず、電源投入後、洗濯機のイニシャル時の設定コースをＬＥＤと７セグメントＬＥＤで表示(S101)する。洗濯コースと洗い時間、すすぎ回数、脱水時間、乾燥時間、風呂水利用の有無等の運転内容(S102)を設定し、スタート・一時停止キーを押下(S103)することで、設定された運転内容を実行する。
【００１７】
風呂水給水用ポンプ９の逆転運転を行う場合は、例えば、洗い時間、すすぎ回数、脱水時間、乾燥時間の設定をなしにし、風呂水利用のみ有を設定し、スタートすることで自動的に運転することとする。
【００１８】
風呂水給水用ポンプ９の逆転運転は、図２のフローチャートに示すように、通水弁７を開いた状態(S110)で給水経路内を排水する（給水時に開いた主給水弁２４または補助給水弁２５は閉じている）。給水経路内の排水が完了すれば(S111)、通水弁７を閉じ(S112)、補助給水弁２５を閉じ(S113)、主給水弁２４を開き(S114)、水道圧により風呂水給水用ポンプ９内部の通水量に差がでないように調整した時間だけ、水道水を給水(S115)する。または、補助給水弁２５または通水弁７をモータ機構とし、半開など密封した状態以外にして、一定時間通水するなどしてもよい。風呂水給水用ポンプ９内に給水が完了すれば(S116)、主給水弁２４を閉じ(S117)、補助給水弁２５を開き(S118)、風呂水給水用ポンプ９を逆転運転(S119)させる。風呂水給水用ポンプ９を逆転運転させることで、風呂水給水用ポンプ９内部に溜まった水を、風呂水給水用ホース２６内に勢いよく通水する(S120)。水道水の給水と風呂水給水用ポンプ９の逆転運転(S113〜S120)を複数サイクル(例えば、５サイクル)実施すれば(S121)、補助給水弁２５を閉じ(S122)、通水弁７を開き(S123)、給水経路内を排水する。サイクルの繰返し動作は、風呂水給水用ポンプ９内の水が完全に抜け切ってから水道水を通水する場合や、風呂水給水用ポンプ９内の水が残った状態で水道水を通水する場合や、これを組み合わせた制御としてもよい。給水経路内の排水が完了すれば(S124)、通水弁７を閉じ(S125)、風呂水給水用ポンプ９の逆転運転を終了する。
【００１９】
図８の風呂水給水用ポンプ９の構造例に示すように、水の流れが悪い風呂水通水口付近や、洗濯槽への通水口付近まで水道水を通水した後、風呂水給水用ポンプ９の逆転運転を繰り返すことで、通常の風呂水給水用ポンプ９の動作では取りきれないヌメリやノロの発生原因となる有機物を取り、風呂水給水用ポンプ９内や風呂水給水用ホース２６内の詰まりを低減する。
【００２０】
風呂水給水用ポンプ９の逆転運転終了後に電源を自動で切る。上記実施例は、ドラム式洗濯機を例に説明したが、縦型式洗濯機に関しても同様に適用できる。
【符号の説明】
【００２１】
1：操作パネル
4：電源  5：リレー  6：モータ  7：通水弁  8：排水弁  9：風呂水給水用ポンプ  
10：循環ポンプ  13：マイクロコンピュータ  14：不揮発性記憶手段  
15：蓋ロック検知  16：水位センサ  17：振動センサ 
18：回転センサ  20：操作スイッチ  21：LED表示回路  22：ブザー回路  
23：モータ電流センサ  24：主給水弁  25：補助給水弁  26：風呂水給水用ホース
103：洗濯コースキー  104：洗乾コースキー  105：乾燥コースキー  
106：スタート・一時停止キー  
107：洗いキー  108：すすぎキー  109：脱水キー  110：乾燥キー  
111：洗い時間表示  112：すすぎ回数表示  113：脱水時間表示  114：乾燥時間表示  
115：残時間表示  116：コースＬＥＤ表示  
121：入キー  122：切キー  
【図１】
2017202073.tif 000003
【図２】
2017202073.tif 000004
【図３】
2017202073.tif 000005
【図４】
2017202073.tif 000006
【図５】
2017202073.tif 000007
【図６】
2017202073.tif 000008
【図７】
2017202073.tif 000009
【図８】
2017202073.tif 000010